(57)【要約】【課題】消費電力の低減のために処理手段の電源オフが指示された場合に、処理手段の動作に係る制御データの亡失を防止する。【解決手段】撮像手段は、第１の送信手段と、第１の記憶手段と、第１の受信手段とを有し、処理手段は、第２の受信手段と、第２の送信手段と、処理制御手段とを有し、処理手段の電源オフが指示され、撮像手段の電源オフが指示されない場合には、第２の送信手段は、処理手段の動作に係る制御データを第１の受信手段に送信し、第１の受信手段は、受信した処理手段の動作に係る制御データを第１の記憶手段に書き込み、処理手段の電源オンが指示された場合には、第１の送信手段は、第１の記憶手段に記憶されている処理手段の動作に係る制御データを第２の受信手段に送信し、処理制御手段は、第２の受信手段により受信された処理手段の動作に係る制御データを基に、処理手段の動作の設定を行う。【選択図】図２
2020178155.tif 000002
【特許請求の範囲】
【請求項１】
撮像手段と、
処理手段とを有し、
前記撮像手段は、
画像データを生成する画像生成手段と、
前記画像データを前記処理手段に送信する第１の送信手段と、
第１の記憶手段と、
前記処理手段から前記処理手段の動作に係る制御データを受信し、前記処理手段の動作に係る制御データを前記第１の記憶手段に書き込む第１の受信手段とを有し、
前記処理手段は、
前記第１の送信手段から前記画像データを受信する第２の受信手段と、
前記第２の受信手段により受信された画像データの処理を行う画像処理手段と、
前記処理手段の動作に係る制御データを前記第１の受信手段に送信する第２の送信手段と、
前記処理手段の動作に係る制御データを基に、前記処理手段の動作の設定を行う処理制御手段とを有し、
前記処理手段の電源オフが指示され、前記撮像手段の電源オフが指示されない場合には、前記第２の送信手段は、前記処理手段の動作に係る制御データを前記第１の受信手段に送信し、前記第１の受信手段は、前記第２の送信手段から受信した前記処理手段の動作に係る制御データを前記第１の記憶手段に書き込み、
前記処理手段の電源オンが指示された場合には、前記第１の送信手段は、前記第１の記憶手段に記憶されている前記処理手段の動作に係る制御データを前記第２の受信手段に送信し、前記第２の受信手段は、前記処理手段の動作に係る制御データを受信し、前記処理制御手段は、前記第２の受信手段により受信された前記処理手段の動作に係る制御データを基に、前記処理手段の動作の設定を行うことを特徴とする撮像装置。
【請求項２】
前記撮像装置は、第２の記憶手段をさらに有し、
前記処理手段と前記撮像手段の電源オフが指示された場合には、前記処理制御手段は、前記処理手段の動作に係る制御データを前記第２の記憶手段に書き込み、
前記処理手段の電源オンが指示された場合には、前記処理制御手段は、前記第２の記憶手段に記憶されている前記処理手段の動作に係る制御データを基に、前記処理手段の動作の設定を行うことを特徴とする請求項１に記載の撮像装置。
【請求項３】
前記処理手段と前記第２の記憶手段の電源オフが指示され、前記撮像手段の電源オフが指示されない場合には、前記第２の送信手段は、前記処理手段の動作に係る制御データを前記第１の受信手段に送信し、前記第１の受信手段は、前記第２の送信手段から受信した前記処理手段の動作に係る制御データを前記第１の記憶手段に書き込み、
前記処理手段の電源オンが指示された場合には、前記第１の送信手段は、前記第１の記憶手段に記憶されている前記処理手段の動作に係る制御データを前記第２の受信手段に送信し、前記第２の受信手段は、前記処理手段の動作に係る制御データを受信し、前記処理制御手段は、前記第２の受信手段により受信された前記処理手段の動作に係る制御データを基に、前記処理手段の動作の設定を行うことを特徴とする請求項２に記載の撮像装置。
【請求項４】
前記処理手段の電源オフが指示され、前記撮像手段と前記第２の記憶手段の電源オフが指示されない場合には、前記処理制御手段は、前記処理手段の動作に係る制御データを前記第２の記憶手段に書き込み、
前記処理手段の電源オンが指示された場合には、前記処理制御手段は、前記第２の記憶手段に記憶されている前記処理手段の動作に係る制御データを基に、前記処理手段の動作の設定を行うことを特徴とする請求項２または３に記載の撮像装置。
【請求項５】
前記撮像装置は、前記第１の受信手段が前記処理手段の動作に係る制御データを前記第１の記憶手段に書き込んだ後、前記処理手段の電源をオフにする電源制御手段をさらに有することを特徴とする請求項１〜４のいずれか１項に記載の撮像装置。
【請求項６】
前記処理制御手段は、前記第１の受信手段が前記処理手段の動作に係る制御データを前記第１の記憶手段に書き込んだ後、前記処理手段の電源をオフにする指示を前記電源制御手段に送信し、
前記電源制御手段は、前記処理手段の電源をオフにする指示を受信すると、前記処理手段の電源をオフにすることを特徴とする請求項５に記載の撮像装置。
【請求項７】
前記処理制御手段は、前記第１の受信手段が前記処理手段の動作に係る制御データを前記第１の記憶手段に書き込んだ後、前記電源制御手段に前記処理手段の電源をオンにするタイミングの情報を送信し、
前記電源制御手段は、前記処理手段の電源をオンにするタイミングの情報を基に、前記処理手段の電源をオンにすることを特徴とする請求項５または６に記載の撮像装置。
【請求項８】
前記処理制御手段は、前記第１の受信手段が前記処理手段の動作に係る制御データを前記第１の記憶手段に書き込んだ後、前記処理手段の動作に係る制御データが前記第１の記憶手段に記憶されていることを示す情報を前記電源制御手段に送信し、
前記電源制御手段は、前記処理手段の電源をオンにした後、前記処理手段の動作に係る制御データが前記第１の記憶手段に記憶されていることを示す情報を前記処理制御手段に送信し、
前記処理制御手段は、前記処理手段の電源がオンになった後、前記処理手段の動作に係る制御データが前記第１の記憶手段に記憶されていることを示す情報を受信し、前記第１の記憶手段に記憶されている前記処理手段の動作に係る制御データを基に、前記処理手段の動作の設定を行うことを特徴とする請求項５〜７のいずれか１項に記載の撮像装置。
【請求項９】
前記第２の送信手段が前記処理手段の動作に係る制御データを前記第１の受信手段に送信する通信路と、前記第１の送信手段が前記処理手段の動作に係る制御データを前記第２の受信手段に送信する通信路は、共通であることを特徴とする請求項１〜８のいずれか１項に記載の撮像装置。
【請求項１０】
前記第１の送信手段が前記処理手段の動作に係る制御データを前記第２の受信手段に送信する通信路と、前記第１の送信手段が前記画像データを前記第２の受信手段に送信する通信路は、共通であることを特徴とする請求項１〜８のいずれか１項に記載の撮像装置。
【請求項１１】
前記第２の送信手段が前記処理手段の動作に係る制御データを前記第１の受信手段に送信する通信路と、前記第１の送信手段が前記処理手段の動作に係る制御データを前記第２の受信手段に送信する通信路と、前記第１の送信手段が前記画像データを前記第２の受信手段に送信する通信路は、共通であることを特徴とする請求項１〜８のいずれか１項に記載の撮像装置。
【請求項１２】
撮像手段と、
処理手段とを有する撮像装置の制御方法であって、
前記撮像手段は、
画像データを生成する画像生成手段と、
前記画像データを前記処理手段に送信する第１の送信手段と、
第１の記憶手段と、
前記処理手段から前記処理手段の動作に係る制御データを受信し、前記処理手段の動作に係る制御データを前記第１の記憶手段に書き込む第１の受信手段とを有し、
前記処理手段は、
前記第１の送信手段から前記画像データを受信する第２の受信手段と、
前記第２の受信手段により受信された画像データの処理を行う画像処理手段と、
前記処理手段の動作に係る制御データを前記第１の受信手段に送信する第２の送信手段と、
前記処理手段の動作に係る制御データを基に、前記処理手段の動作の設定を行う処理制御手段とを有し、
前記処理手段の電源オフが指示され、前記撮像手段の電源オフが指示されない場合には、前記第２の送信手段は、前記処理手段の動作に係る制御データを前記第１の受信手段に送信し、前記第１の受信手段は、前記第２の送信手段から受信した前記処理手段の動作に係る制御データを前記第１の記憶手段に書き込み、
前記処理手段の電源オンが指示された場合には、前記第１の送信手段は、前記第１の記憶手段に記憶されている前記処理手段の動作に係る制御データを前記第２の受信手段に送信し、前記第２の受信手段は、前記処理手段の動作に係る制御データを受信し、前記処理制御手段は、前記第２の受信手段により受信された前記処理手段の動作に係る制御データを基に、前記処理手段の動作の設定を行うことを特徴とする撮像装置の制御方法。
【請求項１３】
前記撮像装置は、第２の記憶手段をさらに有し、
前記処理手段と前記撮像手段の電源オフが指示された場合には、前記処理制御手段は、前記処理手段の動作に係る制御データを前記第２の記憶手段に書き込み、
前記処理手段の電源オンが指示された場合には、前記処理制御手段は、前記第２の記憶手段に記憶されている前記処理手段の動作に係る制御データを基に、前記処理手段の動作の設定を行うことを特徴とする請求項１２に記載の撮像装置の制御方法。
【請求項１４】
前記処理手段と前記第２の記憶手段の電源オフが指示され、前記撮像手段の電源オフが指示されない場合には、前記第２の送信手段は、前記処理手段の動作に係る制御データを前記第１の受信手段に送信し、前記第１の受信手段は、前記第２の送信手段から受信した前記処理手段の動作に係る制御データを前記第１の記憶手段に書き込み、
前記処理手段の電源オンが指示された場合には、前記第１の送信手段は、前記第１の記憶手段に記憶されている前記処理手段の動作に係る制御データを前記第２の受信手段に送信し、前記第２の受信手段は、前記処理手段の動作に係る制御データを受信し、前記処理制御手段は、前記第２の受信手段により受信された前記処理手段の動作に係る制御データを基に、前記処理手段の動作の設定を行うことを特徴とする請求項１３に記載の撮像装置の制御方法。
【請求項１５】
前記処理手段の電源オフが指示され、前記撮像手段と前記第２の記憶手段の電源オフが指示されない場合には、前記処理制御手段は、前記処理手段の動作に係る制御データを前記第２の記憶手段に書き込み、
前記処理手段の電源オンが指示された場合には、前記処理制御手段は、前記第２の記憶手段に記憶されている前記処理手段の動作に係る制御データを基に、前記処理手段の動作の設定を行うことを特徴とする請求項１３または１４に記載の撮像装置の制御方法。
【請求項１６】
前記撮像装置は、電源制御手段をさらに有し、
前記電源制御手段は、前記第１の受信手段が前記処理手段の動作に係る制御データを前記第１の記憶手段に書き込んだ後、前記処理手段の電源をオフにすることを特徴とする請求項１２〜１５のいずれか１項に記載の撮像装置の制御方法。
【請求項１７】
前記処理制御手段は、前記第１の受信手段が前記処理手段の動作に係る制御データを前記第１の記憶手段に書き込んだ後、前記処理手段の電源をオフにする指示を前記電源制御手段に送信し、
前記電源制御手段は、前記処理手段の電源をオフにする指示を受信すると、前記処理手段の電源をオフにすることを特徴とする請求項１６に記載の撮像装置の制御方法。
【請求項１８】
前記処理制御手段は、前記第１の受信手段が前記処理手段の動作に係る制御データを前記第１の記憶手段に書き込んだ後、前記電源制御手段に前記処理手段の電源をオンにするタイミングの情報を送信し、
前記電源制御手段は、前記処理手段の電源をオンにするタイミングの情報を基に、前記処理手段の電源をオンにすることを特徴とする請求項１６または１７に記載の撮像装置の制御方法。
【請求項１９】
前記処理制御手段は、前記第１の受信手段が前記処理手段の動作に係る制御データを前記第１の記憶手段に書き込んだ後、前記処理手段の動作に係る制御データが前記第１の記憶手段に記憶されていることを示す情報を前記電源制御手段に送信し、
前記電源制御手段は、前記処理手段の電源をオンにした後、前記処理手段の動作に係る制御データが前記第１の記憶手段に記憶されていることを示す情報を前記処理制御手段に送信し、
前記処理制御手段は、前記処理手段の電源がオンになった後、前記処理手段の動作に係る制御データが前記第１の記憶手段に記憶されていることを示す情報を受信し、前記第１の記憶手段に記憶されている前記処理手段の動作に係る制御データを基に、前記処理手段の動作の設定を行うことを特徴とする請求項１６〜１８のいずれか１項に記載の撮像装置の制御方法。
【請求項２０】
前記第２の送信手段が前記処理手段の動作に係る制御データを前記第１の受信手段に送信する通信路と、前記第１の送信手段が前記処理手段の動作に係る制御データを前記第２の受信手段に送信する通信路は、共通であることを特徴とする請求項１２〜１９のいずれか１項に記載の撮像装置の制御方法。
【発明の詳細な説明】
【技術分野】
【０００１】
本発明は、撮像装置および撮像装置の制御方法に関する。
【背景技術】
【０００２】
撮像装置は、多画素化や動画像の高フレームレート化などに伴い、消費電力が増大している。デジタルカメラのような携帯可能な撮像装置は、消費電力を抑えて電池の消耗を低減することが求められている。特許文献１には、中央演算処理回路が実行すべき処理が存在しない場合、中央演算装置へのクロック供給を停止する方法が開示されている。
【先行技術文献】
【特許文献】
【０００３】
【特許文献１】特開２００３−２２４７６８号公報
【発明の概要】
【発明が解決しようとする課題】
【０００４】
撮像装置の消費電力を抑えるためには、中央演算処理回路の動作が不要な場合、電源は適宜オフにすることが必要である。特許文献１では、電源がオンされたままであるためリーク電流が発生し、消費電力を抑える効果が限定されるという課題がある。
【０００５】
本発明の目的は、消費電力の低減のために処理手段の電源オフが指示された場合に、処理手段の動作に係る制御データの亡失を防止することができるようにすることである。
【課題を解決するための手段】
【０００６】
本発明の一観点によれば、撮像装置は、撮像手段と、処理手段とを有し、前記撮像手段は、画像データを生成する画像生成手段と、前記画像データを前記処理手段に送信する第１の送信手段と、第１の記憶手段と、前記処理手段から前記処理手段の動作に係る制御データを受信し、前記処理手段の動作に係る制御データを前記第１の記憶手段に書き込む第１の受信手段とを有し、前記処理手段は、前記第１の送信手段から前記画像データを受信する第２の受信手段と、前記第２の受信手段により受信された画像データの処理を行う画像処理手段と、前記処理手段の動作に係る制御データを前記第１の受信手段に送信する第２の送信手段と、前記処理手段の動作に係る制御データを基に、前記処理手段の動作の設定を行う処理制御手段とを有し、前記処理手段の電源オフが指示され、前記撮像手段の電源オフが指示されない場合には、前記第２の送信手段は、前記処理手段の動作に係る制御データを前記第１の受信手段に送信し、前記第１の受信手段は、前記第２の送信手段から受信した前記処理手段の動作に係る制御データを前記第１の記憶手段に書き込み、前記処理手段の電源オンが指示された場合には、前記第１の送信手段は、前記第１の記憶手段に記憶されている前記処理手段の動作に係る制御データを前記第２の受信手段に送信し、前記第２の受信手段は、前記処理手段の動作に係る制御データを受信し、前記処理制御手段は、前記第２の受信手段により受信された前記処理手段の動作に係る制御データを基に、前記処理手段の動作の設定を行う。
【発明の効果】
【０００７】
本発明によれば、消費電力の低減のために処理手段の電源オフが指示された場合に、処理手段の動作に係る制御データの亡失を防止することができる。
【図面の簡単な説明】
【０００８】
【図１】撮像装置の構成例を示すブロック図である。
【図２】信号処理制御部の制御方法を示すフローチャートである。
【図３】信号処理制御部の制御方法を示すフローチャートである。
【図４】電源制御部の制御方法を示すフローチャートである。
【図５】静止画撮影動作に移った場合のタイミングチャートである。
【図６】待機状態に移った場合のタイミングチャートである。
【発明を実施するための形態】
【０００９】
図１は、本実施形態による撮像装置１００の構成例を示すブロック図である。撮像装置１００は、イメージセンサ１１０と、信号処理システム１２０と、電源制御部１４０と、システム制御部１４１と、主記憶部１４２と、不揮発性記憶部１４３とを有する。イメージセンサ１１０は、画像生成部１１１と、第１の記憶部１１２と、センサ制御設定記憶部１１３と、第１の受信部１１４と、第１の送信部１１５とを有する。
【００１０】
信号処理システム１２０は、第２の送信部１２１と、信号処理制御部１２２と、第２の記憶部１２３と、ＤＭＡ制御部１２４と、第１の記憶制御部１２５と、第２の受信部１２６とを有する。さらに、信号処理システム１２０は、第１の信号処理部１２７と、第２の信号処理部１２８と、第３の信号処理部１２９と、第２の記憶制御部１３０と、信号バス１３１とを有する。
【００１１】
イメージセンサ１１０は、撮像部であり、たとえばＣＣＤやＣＭＯＳから構成される撮像素子である。第１の受信部１１４は、信号処理システム１２０の内部動作に係る第１の制御データと、イメージセンサ１１０の内部制御にかかる第２の制御データを第２の送信部１２１から受信する。センサ制御設定記憶部１１３は、第１の受信部１１４が受信した第２の制御データを記憶する。
【００１２】
画像生成部１１１は、第２の制御データに基づいたタイミングで、受光量に応じた画像データを生成して出力する。第１の記憶部１１２は、画像生成部１１１が出力した画像データと第１の受信部１１４が受信した第１の制御データを記憶する。第１の送信部１１５は、第２の制御データに基づいたタイミングで、第１の記憶部１１２から第１の制御データおよび画像データを読み出し、第２の受信部１２６に送信する。
【００１３】
信号処理制御部１２２は、システム制御部１４１の指示または第１の制御データに基づいて、信号処理システム１２０およびイメージセンサ１１０を制御する。また、信号処理制御部１２２は、第１の制御データと第２の制御データと電源制御部１４０を制御する第３の制御データを生成する。また、信号処理制御部１２２は、第２の送信部１２１を経由して、第１の制御データを第１の記憶部１１２に書き込むか、第１の記憶制御部１２５を経由して、主記憶部１４２に書き込むかを選択できる。第３の制御データは、電源オン／オフ制御の対象とタイミング、および、第１の制御データを格納している場所の情報を含む。
【００１４】
第２の送信部１２１は、第１の制御データと第２の制御データと画像データを第１の受信部１１４に送信する。第２の受信部１２６は、第１の制御データと第２の制御データと画像データを第１の送信部１１５から受信し、第１の制御データを信号処理制御部１２２に出力し、画像データを第１の信号処理部１２７に出力する。
【００１５】
第１の記憶制御部１２５は、主記憶部１４２に対して、第１の制御データ等の読み出しおよび書き込みを行う。第２の記憶部１２３は、信号処理制御部１２２の制御データを記憶する。ＤＭＡ制御部１２４は、ダイレクトメモリアクセスの制御を行う。第２の記憶制御部１３０は、不揮発性記憶部１４３に対して、データの読み出しおよび書き込みを行う。
【００１６】
第１の信号処理部１２７は、画像処理部であり、第２の受信部１２６が受信した画像データを処理する。第２の信号処理部１２８は、画像処理部であり、第１の信号処理部１２７により処理された画像データを処理する。第３の信号処理部１２９は、画像処理部であり、第２の信号処理部１２８により処理された画像データを処理する。信号バス１３１は、信号処理システム１２０を構成する各ブロックとシステム制御部１４１と電源制御部１４０を接続する通信バスである。
【００１７】
電源制御部１４０は、第３の制御データに基づき、イメージセンサ１１０と信号処理システム１２０と主記憶部１４２と不揮発性記憶部１４３の電源を制御する。また、電源制御部１４０は、信号処理制御部１２２に対して、第１の制御データが書き込まれている場所を示す起動情報を出力する。
【００１８】
システム制御部１４１は、外部からの指示に基づき、撮像装置１００の全体の制御を行う。主記憶部１４２は、第１の記憶制御部１２５に接続され、例えばＤＲＡＭによって構成される記憶素子である。不揮発性記憶部１４３は、第２の記憶制御部１３０に接続される不揮発性の記憶素子であって、信号処理システム１２０の内部動作に係る初期制御データが格納されている。
【００１９】
図２は、信号処理制御部１２２の制御方法を示すフローチャートである。信号処理制御部１２２は、電源制御部１４０が信号処理システム１２０の電源をオンにすることによって、図２のフローチャートの処理を開始する。
【００２０】
ステップＳ２０１では、信号処理制御部１２２は、起動情報判定ルーチンを実施し、信号処理システム１２０内の動作に係る設定を行う。その詳細は、図３を参照しながら、後述する。
【００２１】
ステップＳ２０２では、信号処理制御部１２２は、システム制御部１４１からの動作指示を待ち、システム制御部１４１から動作指示を受信した場合、ステップＳ２０３に進む。
【００２２】
ステップＳ２０３では、信号処理制御部１２２は、システム制御部１４１からの動作指示に、信号処理システム１２０の電源オフの指示が含まれているかの判定を行う。信号処理制御部１２２は、信号処理システム１２０の電源オフの指示が含まれていない場合には、ステップＳ２０２に戻り、信号処理システム１２０の電源オフの指示が含まれている場合には、ステップＳ２０４に進む。
【００２３】
ステップＳ２０４では、信号処理制御部１２２は、システム制御部１４１からの動作指示に、イメージセンサ１１０の電源オフの指示が含まれているかの判定を行う。信号処理制御部１２２は、イメージセンサ１１０の電源オフの指示が含まれている場合には、ステップＳ２１０に進み、イメージセンサ１１０電源オフの指示が含まれていない場合には、ステップＳ２０５に進む。
【００２４】
ステップＳ２０５では、信号処理制御部１２２は、システム制御部１４１からの動作指示に、主記憶部１４２の電源オフの指示が含まれているかの判定を行う。信号処理制御部１２２は、主記憶部１４２の電源オフの指示が含まれている場合には、ステップＳ２０６に進み、主記憶部１４２の電源オフの指示が含まれていない場合には、ステップＳ２０８に進む。
【００２５】
ステップＳ２０６では、信号処理制御部１２２は、第２の送信部１２１に対して、第１の制御データを第１の記憶部１１２に書き込むように指示する。第２の送信部１２１は、第１の制御データを第１の受信部１１４に送信する。第１の受信部１１４は、第１の制御データを受信し、第１の制御データを第１の記憶部１１２に書き込む。書き込みが終了した後、信号処理制御部１２２は、ステップＳ２０７に進む。
【００２６】
ステップＳ２０７では、信号処理制御部１２２は、システム制御部１４１の動作指示に基づき、以下の処理を行う。信号処理制御部１２２は、信号処理システム１２０と主記憶部１４２の電源をオフにする指示と電源をオンにするタイミングの情報と第１の制御データが第１の記憶部１１２に記憶されていることを示す情報を含む第３の制御データを生成する。そして、信号処理制御部１２２は、第３の制御データを電源制御部１４０に送信する。信号処理制御部１２２は、電源制御部１４０に第３の制御データを出力した後、図２のフローチャートの処理を終了する。
【００２７】
ステップＳ２０８では、信号処理制御部１２２は、第１の記憶制御部１２５経由で、第１の制御データを主記憶部１４２に書き込み、書き込みが終了した後、ステップＳ２０９に進む。
【００２８】
ステップＳ２０９では、信号処理制御部１２２は、システム制御部１４１の動作指示に基づき、以下の処理を行う。信号処理制御部１２２は、信号処理システム１２０の電源をオフにする指示と電源をオンにするタイミングの情報と第１の制御データが主記憶部１４２に記憶されていることを示す情報を含む第３の制御データを生成する。そして、信号処理制御部１２２は、第３の制御データを電源制御部１４０に送信する。信号処理制御部１２２は、電源制御部１４０に第３の制御データを出力した後、図２のフローチャートの処理を終了する。
【００２９】
ステップＳ２１０では、信号処理制御部１２２は、第１の記憶制御部１２５経由で、第１の制御データを主記憶部１４２に書き込み、書き込みが終了した後、ステップＳ２１１に進む。
【００３０】
ステップＳ２１１では、信号処理制御部１２２は、システム制御部１４１の動作指示に基づき、以下の処理を行う。信号処理制御部１２２は、信号処理システム１２０とイメージセンサ１１０の電源をオフにする指示と電源をオンにするタイミングの情報と第１の制御データが主記憶部１４２に記憶されていることを示す情報を含む第３の制御データを生成する。そして、信号処理制御部１２２は、第３の制御データを電源制御部１４０に送信する。信号処理制御部１２２は、電源制御部１４０に第３の制御データを出力した後、図２のフローチャートの処理を終了する。
【００３１】
図３は、図２のステップＳ２０１の処理の詳細を示すフローチャートである。ステップＳ３０１では、信号処理制御部１２２は、信号バス１３１を経由して、電源制御部１４０から起動情報が送信されているかの判定を行う。信号処理制御部１２２は、起動情報が送信されている場合には、ステップＳ３０２に進み、起動情報が送信されていない場合には、ステップＳ３０６に進む。
【００３２】
ステップＳ３０２では、信号処理制御部１２２は、起動情報に基づき、第１の制御データが第１の記憶部１１２に記憶されているか、または、主記憶部１４２に記憶されているかの判定を行う。信号処理制御部１２２は、第１の制御データが第１の記憶部１１２に記憶されている場合には、ステップＳ３０３に進み、第１の制御データが主記憶部１４２に記憶されている場合には、ステップＳ３０５に進む。
【００３３】
ステップＳ３０３では、信号処理制御部１２２は、第１の記憶部１１２から第１の制御データを読み出すように指示する。第１の送信部１１５は、第１の記憶部１１２から第１の制御データを読み出し、その第１の制御データを第２の受信部１２６に送信する。第２の受信部１２６は、第１の制御データを受信し、第１の制御データを信号処理制御部１２２に出力する。その後、信号処理制御部１２２は、ステップＳ３０４に進む。
【００３４】
ステップＳ３０５では、信号処理制御部１２２は、第１の記憶制御部１２５を制御して、主記憶部１４２から第１の制御データを読み出し、読み出しが終了した後、ステップＳ３０４に進む。
【００３５】
ステップＳ３０６では、信号処理制御部１２２は、第２の記憶制御部１３０を制御して、不揮発性記憶部１４３から初期制御データを読み出し、読み出しが終了した後、ステップＳ３０４に進む。
【００３６】
ステップＳ３０４では、信号処理制御部１２２は、読み出した第１の制御データまたは初期制御データに基づき、信号処理システム１２０の動作の設定を行う。
【００３７】
図４は、電源制御部１４０の制御方法を示すフローチャートである。ステップＳ４０１では、電源制御部１４０は、全てのブロックの電源をオンにし、電源をオンにした後、ステップＳ４０２に進む。
【００３８】
ステップＳ４０２では、電源制御部１４０は、信号処理制御部１２２から第３の制御データが送信されるのを待ち、信号処理制御部１２２から第３の制御データを受信した場合には、ステップＳ４０３に進む。
【００３９】
ステップＳ４０３では、電源制御部１４０は、第３の制御データに、イメージセンサ１１０の電源をオフにする指示が含まれているかの判定を行う。電源制御部１４０は、第３の制御データにイメージセンサ１１０の電源をオフにする指示が含まれている場合には、ステップＳ４０４に進み、第３の制御データにイメージセンサ１１０の電源をオフにする指示が含まれていない場合には、ステップＳ４０５に進む。
【００４０】
ステップＳ４０４では、電源制御部１４０は、イメージセンサ１１０の電源をオフにし、オフにした後、ステップＳ４０５に進む。
【００４１】
ステップＳ４０５では、電源制御部１４０は、第３の制御データに、主記憶部１４２の電源をオフにする指示が含まれているかの判定を行う。電源制御部１４０は、第３の制御データに主記憶部１４２の電源をオフにする指示が含まれている場合には、ステップＳ４０６に進み、第３の制御データに主記憶部１４２の電源をオフにする指示が含まれていない場合には、ステップＳ４０７に進む。
【００４２】
ステップＳ４０６では、電源制御部１４０は、主記憶部１４２の電源をオフにし、オフにした後、ステップＳ４０７に進む。
【００４３】
ステップＳ４０７では、電源制御部１４０は、信号処理システム１２０の電源をオフにし、オフにした後、ステップＳ４０８に進む。
【００４４】
ステップＳ４０８では、電源制御部１４０は、第３の制御データに基づき、再起動のタイミングを待つ。例えば、再起動のタイミングは、第３の制御データに含まれる電源をオンにするタイミングの情報に基づいた特定の時間が過ぎた時点である。また、再起動のタイミングは、第３の制御データに含まれる電源をオンにするタイミングの情報に基づく信号がアクティブになった時点でもよい。システム制御部１４１が再起動のタイミングを電源制御部１４０に指示してもよい。電源制御部１４０は、再起動のタイミングになったら、ステップＳ４０９に進む。
【００４５】
ステップＳ４０９では、電源制御部１４０は、第３の制御データに基づき、電源をオフにしたブロックの電源をオンにし、電源をオンにした後、ステップＳ４１０に進む。
【００４６】
ステップＳ４１０では、電源制御部１４０は、第３の制御データに基づいた起動情報を信号処理制御部１２２に送信する。起動情報は、第３の制御データの一部の情報であり、第１の制御データが主記憶部１４２または第１の記憶部１１２に記憶されていることを示す情報を含む。
【００４７】
図５は、イメージセンサ１１０の電源がオンのままで、信号処理システム１２０と主記憶部１４２の電源がオフにする動作を示すタイミングチャートである。例えば、撮像装置１００が電子ビューファインダ動作から静止画撮影動作に移った場合の処理を説明する。
【００４８】
撮像装置１００が電子ビューファインダ動作をしている期間では、画像生成部１１１は、画像データを生成し、画像データを第１の記憶部１１２に書き込み、露光を開始する。第１の送信部１１５は、第１の記憶部１１２から画像データを読み出し、その画像データを第２の受信部１２６に送信する。第２の受信部１２６は、画像データを受信し、受信した画像データを第１〜第３の信号処理部１２７〜１２９に出力する。その間、主記憶部１４２は、信号処理用のデータ記憶領域として使用される。第１〜第３の信号処理部１２７〜１２９は、画像データに対して、信号処理を行う。
【００４９】
時刻Ｔ５１では、システム制御部１４１は、信号処理制御部１２２に対して、静止画撮影動作の指示を送信し、静止画撮影動作に遷移する。システム制御部１４１の静止画撮影動作指示には、信号処理システム１２０と主記憶部１４２の電源をオフにする指示が含まれる。信号処理制御部１２２は、は、静止画撮影動作の指示を受信する。
【００５０】
時刻Ｔ５２は、信号処理制御部１２２が、第１の制御データを第１の記憶部１１２に書き込む一連の制御を開始するタイミングである。時刻Ｔ５２では、静止画撮影時、画像生成部１１１は、静止画用の露光動作に入るため、リセットを行い、画像データの生成と第１の記憶部１１２への書き込みを行わない。第１の送信部１１５は、第１の記憶部１１２から画像データを読み出さない。信号処理制御部１２２は、第１の記憶部１１２に対して画像データの読み出しまたは書き込みが行われていない期間に、第１の制御データを第２の送信部１２１に通知する。第２の送信部１２１は、第１の制御データを第１の受信部１１４に送信する。第１の受信部１１４は、第１の制御データを受信し、第１の制御データを第１の記憶部１１２に書き込む。
【００５１】
時刻Ｔ５３は、第１の制御データの第１の記憶部１１２に対する書き込みが終了したタイミングである。時刻Ｔ５３では、信号処理制御部１２２は、電源制御部１４０に対して、第３の制御データを送信する。この第３の制御データには、再起動のタイミング情報として時刻Ｔ５５の情報が含まれる。電源制御部１４０は、第３の制御データを受信する。
【００５２】
時刻Ｔ５４は、信号処理制御部１２２が電源制御部１４０に対して第３の制御データを送信し終えたタイミングである。時刻Ｔ５４では、電源制御部１４０は、信号処理システム１２０と主記憶部１４２の電源をオフにする。画像生成部１１１は、静止画用露光を行う。電源制御部１４０は、時刻Ｔ５５まで待機する。
【００５３】
時刻Ｔ５５では、電源制御部１４０は、信号処理システム１２０と主記憶部１４２の電源をオンにし、起動情報を信号処理制御部１２２に送信する。信号処理制御部１２２は、起動情報を受信する。
【００５４】
時刻Ｔ５６は、信号処理制御部１２２が、起動情報を受信し終えたタイミングである。時刻Ｔ５６では、第１の送信部１１５は、第１の制御データを第１の記憶部１１２から読み出し、第１の制御データを第２の受信部１２６に送信する。第２の受信部１２６は、第１の制御データを受信し、第１の制御データを信号処理制御部１２２に送信する。信号処理制御部１２２は、第１の制御データを基に、信号処理システム１２０の動作の設定を行う。
【００５５】
時刻Ｔ５７は、画像生成部１１１が、静止画撮影用の露光を終えて、画像データの生成を開始するタイミングである。時刻Ｔ５７では、画像生成部１１１は、光電変換に基づく静止画の画像データを生成し、その画像データを第１の記憶部１１２に書き込み、次の露光を開始する。第１の送信部１１５は、第１の記憶部１１２から画像データを読み出し、画像データを第２の受信部１２６に送信する。第２の受信部１２６は、画像データを受信し、その画像データを第１〜第３の信号処理部１２７〜１２９に送信する。第１〜第３の信号処理部１２７〜１２９は、画像データに対して、信号処理を行う。
【００５６】
図６は、イメージセンサ１１０の電源と信号処理システム１２０の電源がオフであり、主記憶部１４２の電源がオンのままである動作を示すタイミングチャートである。例えば、撮像装置１００が静止画撮影動作を行った後、待機状態に移った場合の処理を説明する。時刻Ｔ６１の前の動作は、図５の時刻Ｔ５７以降の動作と同じである。
【００５７】
時刻Ｔ６１では、システム制御部１４１は、信号処理制御部１２２に対して、待機動作の指示を送信する。システム制御部１４１の待機動作指示には、信号処理システム１２０とイメージセンサ１１０の電源をオフにする指示が含まれる。信号処理制御部１２２は、待機動作の指示を受信する。
【００５８】
時刻Ｔ６２は、信号処理制御部１２２が、第１の制御データを主記憶部１４２に書き込む一連の制御を開始するタイミングである。時刻Ｔ６２では、信号処理制御部１２２は、第１の制御データを第１の記憶制御部１２５に通知する。第１の記憶制御部１２５は、第１の制御データを受信し、第１の制御データを主記憶部１４２に書き込む。
【００５９】
時刻Ｔ６３は、第１の制御データの主記憶部１４２に対する書き込みが終了したタイミングである。時刻Ｔ６３では、信号処理制御部１２２は、電源制御部１４０に対して、第３の制御データを送信する。この第３の制御データは、再起動のタイミングをシステム制御部１４１が指示することを示す情報を含む。電源制御部１４０は、第３の制御データを受信する。
【００６０】
時刻Ｔ６４は、信号処理制御部１２２が電源制御部１４０に対して第３の制御データを送信し終えたタイミングである。時刻Ｔ６４では、電源制御部１４０は、信号処理システム１２０とイメージセンサ１１０の電源をオフにする。
【００６１】
時刻Ｔ６５では、システム制御部１４１は、電源制御部１４０に対して、再起動の指示を行う。すると、電源制御部１４０は、信号処理システム１２０と主記憶部１４２の電源をオンにし、起動情報を信号処理制御部１２２に送信する。信号処理制御部１２２は、起動情報を受信する。
【００６２】
時刻Ｔ６６は、信号処理制御部１２２が、起動情報を受信し終えたタイミングである。時刻Ｔ６６では、第１の記憶制御部１２５は、主記憶部１４２から第１の制御データを読み出し、その第１の制御データを信号処理制御部１２２に送信する。信号処理制御部１２２は、第１の制御データを受信し、その第１の制御データに基づき、信号処理システム１２０の動作の設定を行う。
【００６３】
撮像装置１００は、第１の制御データをイメージセンサ１１０に設けた第１の記憶部１１２に記憶することにより、第１の制御データを亡失することなく、信号処理システム１２０と主記憶部１４２の電源をオフにし、消費電力を抑えることができる。
【００６４】
なお、第１の送信部１１５が第１の制御データを第２の受信部１２６に送信する通信路と、第２の送信部１２１が第１の制御データを第１の受信部１１４に送信する通信路は、共通であり、半二重通信路で接続してもよい。また、第１の送信部１１５が第１の制御データを第２の受信部１２６に送信する通信路と、第１の送信部１１５が画像データを第２の受信部１２６に送信する通信路は、共通でもよい。第１の送信部１１５が第１の制御データを第２の受信部１２６に送信する通信路と、第２の送信部１２１が第１の制御データを第１の受信部１１４に送信する通信路と、第１の送信部１１５が画像データを第２の受信部１２６に送信する通信路は、共通でもよい。その場合、通信路は、半二重通信路にすることができる。
【００６５】
撮像装置１００は、デジタルカメラ、ビデオカメラの他、スマートフォン、タブレット、工業用カメラ、医療用カメラ、車載カメラ等に適用可能である。
【００６６】
以上、本発明の実施形態について説明したが、本発明はこの実施形態に限定されず、その要旨の範囲内で種々の変形および変更が可能である。
【符号の説明】
【００６７】
１００  撮像装置、１１０  イメージセンサ、１１１  画像生成部、１１２  第１の記憶部、１１４  第１の受信部、１１５  第１の送信部、１２０  信号処理システム、１２１  第２の送信部、１２２  信号処理制御部、１２６  第２の受信部、１２７  第１の信号処理部、１２８  第２の信号処理部、１２９  第３の信号処理部、１４０  電源制御部、１４２  主記憶部
【図１】
2020178155.tif 000003
【図２】
2020178155.tif 000004
【図３】
2020178155.tif 000005
【図４】
2020178155.tif 000006
【図５】
2020178155.tif 000007
【図６】
2020178155.tif 000008